(57)【要約】【課題】利便性を向上させつつセキュリティを担保することが可能な決済システム、クライアント装置、サーバ装置及び情報処理方法を提供する。【解決手段】顧客の識別情報と決済用カード情報とを対応付けて記憶する第１の記憶部、前記識別情報に対応付けて前記第１の記憶部に記憶された前記決済用カード情報を用いた決済を依頼する依頼部と、を有するサーバ装置と、前記決済用カード情報が前記第１の記憶部に記憶されているか否かを示す情報を記憶する第２の記憶部、前記サーバ装置による前記決済の依頼を許可する許可部、を有するクライアント装置と、を備え、前記許可部は、顧客の前記決済用カード情報が前記第１の記憶部に記憶されていることを示す情報が前記第２の記憶部に記憶されている場合に前記決済を許可し、前記依頼部は、前記許可部から許可された場合に前記決済を依頼する、決済システム。【選択図】図１
2015125680.tif 000002
【特許請求の範囲】
【請求項１】
顧客の識別情報と決済用カード情報とを対応付けて記憶する第１の記憶部、
前記識別情報に対応付けて前記第１の記憶部に記憶された前記決済用カード情報を用いた決済を依頼する依頼部と、
を有するサーバ装置と、
前記決済用カード情報が前記第１の記憶部に記憶されているか否かを示す情報を記憶する第２の記憶部、
前記サーバ装置による前記決済の依頼を許可する許可部、
を有するクライアント装置と、
を備え、
前記許可部は、顧客の前記決済用カード情報が前記第１の記憶部に記憶されていることを示す情報が前記第２の記憶部に記憶されている場合に前記決済を許可し、
前記依頼部は、前記許可部から許可された場合に前記決済を依頼する、決済システム。
【請求項２】
前記クライアント装置は、顧客が前記決済用カード情報を用いた前記決済が行われることに同意した旨を示す同意情報を取得する同意情報取得部をさらに有し、
前記許可部は、前記同意情報取得部により前記同意情報が取得された場合に、前記決済の依頼を許可する、請求項１に記載の決済システム。
【請求項３】
前記クライアント装置は、顧客と対面する実店舗を運営する事業者により使用される、請求項１に記載の決済システム。
【請求項４】
前記クライアント装置は、
来店した顧客の前記識別情報を取得する識別情報取得部をさらに有し、
前記第２の記憶部は、前記決済用カード情報が前記第１の記憶部に記憶されているか否かを示す情報を前記識別情報に対応付けて記憶し、
前記許可部は、前記識別情報取得部により取得された前記識別情報を前記第２の記憶部から検索した結果に基づいて前記決済を許可する、請求項３に記載の決済システム。
【請求項５】
前記識別情報取得部は、顧客により所有される媒体から前記識別情報を読み取る、請求項４に記載の決済システム。
【請求項６】
前記識別情報は、前記事業者を識別する事業者識別情報および前記事業者が顧客を識別する顧客識別情報を含む、請求項３に記載の決済システム。
【請求項７】
前記事業者識別情報は、前記事業者の種別ごとの特徴を有し、
前記依頼部は、前記特徴に基づいて前記第１の記憶部から前記識別情報に対応付けられた前記決済用カード情報を検索する、請求項６に記載の決済システム。
【請求項８】
前記クライアント装置は、来店した顧客の属性情報を取得する属性情報取得部をさらに有し、
前記依頼部は、前記属性情報取得部により取得された前記属性情報を認証情報として用いて前記決済を依頼する、請求項３に記載の決済システム。
【請求項９】
決済用カード情報が顧客の識別情報と対応付けてサーバ装置に記憶されているか否かを示す情報を記憶する記憶部と、
前記サーバ装置が前記決済用カード情報を用いた決済を依頼することを許可する許可部と、
を備え、
前記許可部は、顧客の前記決済用カード情報が前記サーバ装置に記憶されていることを示す情報が前記記憶部に記憶されている場合に前記決済を許可する、クライアント装置。
【請求項１０】
顧客の識別情報と決済用カード情報とを対応付けて記憶する記憶部と、
前記識別情報に対応付けて前記記憶部に記憶された前記決済用カード情報を用いた決済を依頼する依頼部と、
を備え、
前記依頼部は、前記決済用カード情報が前記記憶部に記憶されていることを示す情報を記憶したクライアント装置により許可された場合に、前記決済を依頼する、サーバ装置。
【請求項１１】
顧客の識別情報と決済用カード情報とを対応付けてサーバ装置に記憶することと、
前記決済用カード情報が前記サーバ装置に記憶されているか否かを示す情報をクライアント装置に記憶することと、
顧客の前記決済用カード情報が前記サーバ装置に記憶されていることを示す情報が前記クライアント装置に記憶されている場合に、前記識別情報に対応付けて前記サーバ装置に記憶された前記決済用カード情報を用いた決済を許可することと、
前記決済を許可された場合に、前記識別情報に対応付けて前記サーバ装置に記憶された前記決済用カード情報を用いた決済を依頼することと、
を含む、情報処理装置のプロセッサにより実行される情報処理方法。
【請求項１２】
決済用カード情報が顧客の識別情報と対応付けてサーバ装置に記憶されているか否かを示す情報を記憶することと、
前記サーバ装置が前記決済用カード情報を用いた決済を依頼することを許可することと、
顧客の前記決済用カード情報が前記サーバ装置に記憶されていることを示す情報が記憶されている場合に前記決済を許可することと、
を含む、情報処理装置のプロセッサにより実行される情報処理方法。
【請求項１３】
顧客の識別情報と決済用カード情報とを対応付けて記憶することと、
前記識別情報に対応付けて記憶された前記決済用カード情報を用いた決済を依頼することと、
前記決済用カード情報が記憶されていることを示す情報を記憶したクライアント装置により許可された場合に、前記決済を依頼することと、
を含む、情報処理装置のプロセッサにより実行される情報処理方法。
【発明の詳細な説明】
【技術分野】
【０００１】
本開示は、決済システム、クライアント装置、サーバ装置及び情報処理方法に関する。
【背景技術】
【０００２】
近年、クレジットカード及びデビットカード等の決済用カードによる決済が一般化しており、持ち主はその利便性を多くの場で享受することが可能となっている。他方、識別情報を付した会員証、ポイントカード、及び診察券等のＩＤ（Identity）カードを顧客に提供して、来店時又は決済時等に提示を求め、顧客の購買履歴等を収集して顧客のニーズに応じた細やかなサービスを提供する動きも一般化している。このような背景にあって、実店舗における顧客の利便性をさらに向上させるための技術が求められている。
【０００３】
例えば、下記特許文献１では、顧客が所有するＩＤカードを用いて、デビットカードによるキャッシュレスな決済を実現する技術が開示されている。詳しくは、下記特許文献１に記載された技術は、実店舗に来店した顧客のＩＤカードから識別情報を読み取り、読み取った識別情報を決済金額と共に勘定系システムに送信することで、勘定系システムに決済を依頼する。
【先行技術文献】
【特許文献】
【０００４】
【特許文献１】特開２００３−１６２６７９号公報
【発明の概要】
【発明が解決しようとする課題】
【０００５】
しかし、上記特許文献１に記載された技術は、ＩＤカードがあれば決済可能であるため、例えば盗難された場合に他人に決済されてしまう、といった安全性の面での危険があった。つまり、上記特許文献１に記載された技術は、利便性を向上させたがために安全性を害する結果となっていた。そこで、本開示では、利便性を向上させつつセキュリティを担保することが可能な、新規且つ改良された決済システム、クライアント装置、サーバ装置及び情報処理方法を提案する。
【課題を解決するための手段】
【０００６】
本開示によれば、顧客の識別情報と決済用カード情報とを対応付けて記憶する第１の記憶部、前記識別情報に対応付けて前記第１の記憶部に記憶された前記決済用カード情報を用いた決済を依頼する依頼部と、を有するサーバ装置と、前記決済用カード情報が前記第１の記憶部に記憶されているか否かを示す情報を記憶する第２の記憶部、前記サーバ装置による前記決済の依頼を許可する許可部、を有するクライアント装置と、を備え、前記許可部は、顧客の前記決済用カード情報が前記第１の記憶部に記憶されていることを示す情報が前記第２の記憶部に記憶されている場合に前記決済を許可し、前記依頼部は、前記許可部から許可された場合に前記決済を依頼する、決済システムが提供される。
【０００７】
前記クライアント装置は、顧客が前記決済用カード情報を用いた前記決済が行われることに同意した旨を示す同意情報を取得する同意情報取得部をさらに有し、前記許可部は、前記同意情報取得部により前記同意情報が取得された場合に、前記決済の依頼を許可してもよい。
【０００８】
前記クライアント装置は、顧客と対面する実店舗を運営する事業者により使用されてもよい。
【０００９】
前記クライアント装置は、来店した顧客の前記識別情報を取得する識別情報取得部をさらに有し、前記第２の記憶部は、前記決済用カード情報が前記第１の記憶部に記憶されているか否かを示す情報を前記識別情報に対応付けて記憶し、前記許可部は、前記識別情報取得部により取得された前記識別情報を前記第２の記憶部から検索した結果に基づいて前記決済を許可してもよい。
【００１０】
前記識別情報取得部は、顧客により所有される媒体から前記識別情報を読み取ってもよい。
【００１１】
前記識別情報は、前記事業者を識別する事業者識別情報および前記事業者が顧客を識別する顧客識別情報を含んでもよい。
【００１２】
前記事業者識別情報は、前記事業者の種別ごとの特徴を有し、前記依頼部は、前記特徴に基づいて前記第１の記憶部から前記識別情報に対応付けられた前記決済用カード情報を検索してもよい。
【００１３】
前記クライアント装置は、来店した顧客の属性情報を取得する属性情報取得部をさらに有し、前記依頼部は、前記属性情報取得部により取得された前記属性情報を認証情報として用いて前記決済を依頼してもよい。
【００１４】
また、本開示によれば、決済用カード情報が顧客の識別情報と対応付けてサーバ装置に記憶されているか否かを示す情報を記憶する記憶部と、前記サーバ装置が前記決済用カード情報を用いた決済を依頼することを許可する許可部と、を備え、前記許可部は、顧客の前記決済用カード情報が前記サーバ装置に記憶されていることを示す情報が前記記憶部に記憶されている場合に前記決済を許可する、クライアント装置が提供される。
【００１５】
また、本開示によれば、顧客の識別情報と決済用カード情報とを対応付けて記憶する記憶部と、前記識別情報に対応付けて前記記憶部に記憶された前記決済用カード情報を用いた決済を依頼する依頼部と、を備え、前記依頼部は、前記決済用カード情報が前記記憶部に記憶されていることを示す情報を記憶したクライアント装置により許可された場合に、前記決済を依頼する、サーバ装置が提供される。
【００１６】
また、本開示によれば、顧客の識別情報と決済用カード情報とを対応付けてサーバ装置に記憶することと、前記決済用カード情報が前記サーバ装置に記憶されているか否かを示す情報をクライアント装置に記憶することと、顧客の前記決済用カード情報が前記サーバ装置に記憶されていることを示す情報が前記クライアント装置に記憶されている場合に、前記識別情報に対応付けて前記サーバ装置に記憶された前記決済用カード情報を用いた決済を許可することと、前記決済を許可された場合に、前記識別情報に対応付けて前記サーバ装置に記憶された前記決済用カード情報を用いた決済を依頼することと、を含む、情報処理装置のプロセッサにより実行される情報処理方法が提供される。
【００１７】
また、本開示によれば、決済用カード情報が顧客の識別情報と対応付けてサーバ装置に記憶されているか否かを示す情報を記憶することと、前記サーバ装置が前記決済用カード情報を用いた決済を依頼することを許可することと、顧客の前記決済用カード情報が前記サーバ装置に記憶されていることを示す情報が記憶されている場合に前記決済を許可することと、を含む、情報処理装置のプロセッサにより実行される情報処理方法が提供される。
【００１８】
また、本開示によれば、顧客の識別情報と決済用カード情報とを対応付けて記憶することと、前記識別情報に対応付けて記憶された前記決済用カード情報を用いた決済を依頼することと、前記決済用カード情報が記憶されていることを示す情報を記憶したクライアント装置により許可された場合に、前記決済を依頼することと、を含む、情報処理装置のプロセッサにより実行される情報処理方法が提供される。
【発明の効果】
【００１９】
以上説明したように本開示によれば、利便性を向上させつつセキュリティを担保することが可能である。
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００２０】
【図１】一実施形態に係る決済システムの概要を示す説明図である。
【図２】本実施形態に係るクライアント装置の構成の一例を示すブロック図である。
【図３】本実施形態に係るサーバ装置の構成の一例を示すブロック図である。
【図４】本実施形態に係る決済システムにおいて実行される登録処理の流れの一例を示すシーケンス図である。
【図５】本実施形態に係る決済システムにおいて実行される受付処理及び決済処理の流れの一例を示すシーケンス図である。
【発明を実施するための形態】
【００２１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２２】
なお、説明は以下の順序で行うものとする。
１．概要
１−１．全体構成
１−２．受付処理及び決済処理の概要
２．構成
２−１．クライアント装置
２−２．サーバ装置
３．動作処理
３−１．登録処理
３−２．受付処理及び決済処理
４．まとめ
【００２３】
＜１．概要＞
まず、図１を参照して、本開示の一実施形態に係る決済システムの概要を説明する。
【００２４】
[１−１．全体構成]
図１は、一実施形態に係る決済システムの概要を示す説明図である。図１に示すように、決済システムは、クライアント装置１、サーバ装置２、カード会社装置３、病院端末４を有する。病院端末４及びクライアント装置１、クライアント装置１及びサーバ装置２、サーバ装置２及びカード会社装置３は、それぞれネットワークにより接続されている。病院９００Ａには、クライアント装置１及び病院端末４が配置されている。例えば病院９００Ｂなどの、他の病院においても同様である。サーバ装置２は、複数のクライアント装置１に接続され得る。
【００２５】
（病院端末４）
病院端末４は、病院の職員により操作される端末である。職員は、この病院端末４を用いて、来院（来店）した患者（顧客）の受付処理、及び診療後の決済処理を行う。詳しくは、病院端末４は、患者が有する診察券５から識別情報を読み取り、読み取った識別情報を用いて受付処理及び決済処理を行う。病院端末４は、診察券５から患者の識別情報を読み取るためのバーコードリーダ、二次元コードリーダ、カードリーダ、ＩＣカードリーダ、及びＮＦＣ（Near  Field  Communication）リーダ等に接続されていてもよい。なお、診察券５にバーコードリーダ等により読み取り可能なバーコード等の識別子が設けられていない場合、例えば病院の職員が目視で診察券５の表面に印字された識別情報を読み取り、手動で病院端末４に識別情報を入力してもよい。
【００２６】
（クライアント装置１）
クライアント装置１は、病院端末４により読み取られた患者の識別情報を用いた受付処理及び決済処理を制御する。クライアント装置１は、顧客のカード情報（決済用カード情報）が、サーバ装置２に記憶されているか否かを示すフラグ情報を記憶している。カード情報とは、例えばカード番号、パスワード、セキュリティコード及び名義人名等から成る、カード会社装置３によるカード決済に要する情報である。クライアント装置１は、病院端末４からの依頼に応じて、カード情報を用いた決済を行うことを要求するメッセージ（決済請求リクエスト）をサーバ装置２に送信する。なお、クライアント装置１及び病院端末４は、一体的に形成されていてもよい。また、クライアント装置１は、病院以外の、例えば系列の複数の病院の情報システムを管理する管理会社により管理・運営されていてもよい。いずれにしろ、クライアント装置１は、顧客と対面する実店舗を運営する事業者により使用される。即ち、本実施形態に係る決済システムは、対面決済におけるカード決済を対象とする。クライアント装置１は、例えばＰＣ（Personal  Computer）、サーバ用コンピュータ等により実現される。なお、以下では、カード情報がサーバ装置２に記憶されていることを示すフラグ情報を肯定的フラグ情報、カード情報がサーバ装置２に記憶されていないことを示すフラグ情報を否定的フラグ情報とも称する。
【００２７】
（サーバ装置２）
サーバ装置２は、患者の識別情報に対応付けて、患者のカード情報を記憶している。サーバ装置２は、クライアント装置１から決済請求リクエストを受信した場合、記憶している患者のカード情報を用いた決済を依頼することを示すメッセージ（決済請求）をカード会社装置３に送信する。また、サーバ装置２は、カード会社装置３による決済の結果を、クライアント装置１を介して病院端末４に返信する。サーバ装置２は、クライアント装置１を運用する事業者とは別個の事業者により管理・運用される。例えば、サーバ装置２は、病院９００Ａ、９００Ｂなどの複数の事業者が使用するクライアント装置１とそれぞれ接続され得る。また、サーバ装置２は、量販店及び小売店などの複数業種の事業者が使用するクライアント装置１とそれぞれ接続され得る。サーバ装置２は、例えばＰＣ、サーバ用コンピュータ等により実現される。
【００２８】
（カード会社装置３）
カード会社装置３は、サーバ装置２からの決済請求を受けて、受信したカード情報を用いてカード決済を行う。カード会社装置３は、決済の結果をサーバ装置２に返信する。カード会社装置３は、クレジットカード及びデビットカード等の決済用カードを提供するカード会社により管理・運用される。
【００２９】
[１−２．受付処理及び決済処理の概要]
来院した患者は、まず、診察券５を病院の職員に提示する。病院端末４は、提示された診察券５を用いた受付処理を行う。例えば、病院端末４は、診察券５に格納された患者の識別情報を読み取り、読み取った識別情報に対応付けられた電子カルテを検索して、医者が操作する端末に送信する。
【００３０】
診療後、病院端末４は、決済処理を行う。患者は、現金決済又は決済用カードによるカード決済を選択可能である。一般的に、患者がクレジットカードなどのカード決済を望む場合、病院の職員から決済用カードの提示が求められる。このため、患者は、診察券及び決済用カードを持ち歩き、且つ、病院においてそれぞれを提示することが要求されるという不便を強いられていた。このような事情は、病院だけでなく、ポイントカードを運用する小売店及び量販店、会員証を運用するスポーツクラブ及びレンタルショップ等でも同様に存在している。このような顧客の不便を解消する一手段として、上記特許文献１に記載された技術を適用することが考えられるものの、上述したように安全性の面での危険があった。
【００３１】
そこで、上記事情を一着眼点にして本実施形態に係るクライアント装置１及びサーバ装置２を有する決済システムを創作するに至った。本実施形態に係る決済システムは、利便性を向上させつつセキュリティを担保することが可能である。
【００３２】
具体的には、本実施形態に係る決済システムは、カード情報及びフラグ情報を別個に記憶することにより、利便性を向上させつつ、セキュリティを担保する。サーバ装置２がカード情報を予め記憶しているため、顧客は決済用カードを持ち歩かずともよいし、決済時に提示せずともよく、利便性が向上する。また、決済システムは、カード情報及びフラグ情報を別個に記憶して、カード情報を登録済みの顧客であっても、フラグ情報が記憶された店舗でのカード決済のみを可能にすることで、安全性を担保する。
【００３３】
詳しくは、クライアント装置１は、肯定的フラグ情報を記憶している場合、病院端末４からの依頼に応じて決済請求リクエストをサーバ装置２に送信する。他方、クライアント装置１は、否定的フラグ情報を記憶している場合、決済請求リクエストをサーバ装置２に送信しない。病院端末４は、決済用カードによる決済ではなく、現金による決済を行う。
【００３４】
つまり、クライアント装置１が、肯定的フラグ情報が記憶していない限り、カード決済されることはない。よって、例えば診察券５が盗難された場合であっても、盗難された診察券５を用いた他の病院９００でのカード決済が防止される。また、サーバ装置２は、クライアント装置１を運用する事業者とは別個の事業者により運用され、顧客のカード情報を一元的に管理する。よって、顧客のカード情報が様々な事業者、及び店舗に散在することが防止されるため、カード会社にとっても安全性が向上する。また、決済システムは、診察券５から読み取った識別情報を用いて受付から決済までを一元的に管理することにより事務処理時間及び会計処理時間を短縮することができ、個々の患者はもちろん、患者全体の待ち時間が削減され、利便性はさらに向上する。
【００３５】
また、上記では本開示の一実施形態に係る決済システムが病院に適用される例を説明したが、本技術はかかる例に限定されない。例えば、ポイントカードを運用する小売店及び量販店、会員証を運用するスポーツクラブ及びレンタルショップ等において、上述した決済システムは適用され得る。例えば、ポイントカードを運用する小売店においては、ポイントカード１枚で受付処理、決済処理、ポイントの付与を実現することができる。
【００３６】
以上、本実施形態に係る決済システムの概要を説明した。続いて、図２、図３を参照して、クライアント装置１及びサーバ装置２の構成を説明する。
【００３７】
＜２．構成＞
本実施形態に係る決済システムは、上述したように、例えば、ポイントカードを運用する小売店及び量販店、会員証を運用するスポーツクラブ及びレンタルショップ等において同様に適用され得る。そこで、本節では、病院を事業者、患者を顧客、診察券をＩＤカード、病院端末４を店舗端末４として、本開示に係る技術を一般化して説明する。
【００３８】
[２−１．クライアント装置]
図２は、本実施形態に係るクライアント装置１の構成の一例を示すブロック図である。図２に示すように、クライアント装置１は、入力部１１、通信部１２、記憶部１３、出力部１４、及び制御部１５を有する。
【００３９】
（１）入力部１１
入力部１１は、店舗端末４とクライアント装置１とのインターフェースであり、店舗端末４に入力された情報を取得する機能を有する。入力部１１は、例えば、ＬＡＮ（Local  Area  Network）、専用線、及び電話回線等から成るネットワークにより店舗端末４と接続されるネットワークインターフェースとして実現される。また、クライアント装置１が店舗端末４と一体的に構成される場合、入力部１１は、例えばボタン、キーボード、マウス、タッチパッド、ディスプレイと一体化されたタッチパネル等として実現される。入力部１１は、バーコードリーダ、二次元コードリーダ、カードリーダ、ＩＣカードリーダ、又はＮＦＣリーダ等として実現されてもよい。図２に示すように、入力部１１は、識別情報取得部１１１、同意情報取得部１１２、及び属性情報取得部１１３として機能する。
【００４０】
（１−１）識別情報取得部１１１
識別情報取得部１１１は、来店した顧客の識別情報を取得する機能を有する。具体的には、識別情報取得部１１１は、顧客により所有される媒体から識別情報を読み取る。このような媒体としては例えば、識別情報を格納したバーコード、二次元コード、磁気ストライプ、ＩＣチップ、ＮＦＣチップが設けられた会員証、ポイントカード、及び診察券等のＩＤカードが考えられる。他にも例えば、顧客が所有するスマートフォン及びタブレット端末等の顧客端末にインストールされたアプリケーションが、識別情報を格納する媒体として機能してもよい。例えば、識別情報取得部１１１は、顧客が来店して受付する際に顧客から提示されたＩＤカードを読み取ることで、識別情報を取得する。なお、ＩＤカードにバーコード等が設けられていない場合、識別情報取得部１１１は、店舗従業員によるＩＤカードに記載されたＩＤ情報の目視での読み取り、及び手入力により識別情報を取得してもよい。
【００４１】
（１−２）同意情報取得部１１２
同意情報取得部１１２は、顧客が決済用カード情報を用いたカード決済が行われることに同意した旨を示す同意情報を取得する機能を有する。同意情報取得部１１２は、会計時にカード決済に同意する入力を顧客から受け付けることにより、同意情報を取得する。この同意情報の取得をトリガとして、カード決済がなされる。一般的には、決済用カードの提示及び暗証番号の入力をトリガとしてカード決済がなされるものであるが、本実施形態では、この代わりとして同意情報の取得をトリガとする。なお、同意情報取得部１１２による同意情報の取得の際に、顧客の保険証等の身分証明書による認証が行われてもよい。この場合、さらに安全性が向上する。
【００４２】
（１−３）属性情報取得部１１３
属性情報取得部１１３は、来店した顧客の属性情報を取得する機能を有する。属性情報とは、例えば顧客の名前及び生年月日等の顧客の属性を示す情報である。属性情報は、カード会社装置３による認証に用いられ得る。
【００４３】
（２）通信部１２
通信部１２は、有線／無線によりサーバ装置２との間でデータの送受信を行うための通信モジュールである。例えば、通信部１２は、ＬＡＮ、専用線及び電話回線等から成るネットワークを介してサーバ装置２と通信する。例えば、通信部１２は、決済請求リクエストをサーバ装置２に送信して、その結果を受信する。
【００４４】
（３）記憶部１３
記憶部１３は、所定の記録媒体に対してデータの記録再生を行う部位である。記憶部１３は、例えばＨＤＤ（Hard  Disc  Drive）として実現される。もちろん記録媒体としては、フラッシュメモリ等の固体メモリ、固定メモリを内蔵したメモリカード、光ディスク、光磁気ディスク、ホログラムメモリなど各種考えられ、記憶部１３としては採用する記録媒体に応じて記録再生を実行できる構成とされればよい。
【００４５】
本実施形態に係る記憶部１３は、後述する登録部１５２による制御に基づき、顧客のカード情報が、後述するサーバ装置２の記憶部２３に記憶されているか否かを示すフラグ情報を記憶する、第２の記憶部としての機能を有する。特に、記憶部１３は、このフラグ情報を顧客の識別情報に対応付けて記憶する。これにより、後述の制御部１５は、識別情報取得部１１１により読み取られた識別情報を検索キーとして、記憶部１３からフラグ情報を検索することが可能となる。なお、フラグ情報は、ＡＳＰ（Application  Service  Provider）に記憶されていてもよいし、電子カルテに含めて記憶されていてもよい。いずれにしろ、病院端末４は、クライアント装置１の記憶部１３、ＡＳＰ、または電子カルテを参照することでフラグ情報を取得し、カード決済が可能であるか否かを表示可能である。
【００４６】
（４）出力部１４
出力部１４は、店舗端末４とクライアント装置１とのインターフェースであり、顧客又は店舗端末４の操作者に通知すべき情報を出力する機能を有する。出力部１４は、例えば、ＬＡＮ、専用線、及び電話回線等から成るネットワークにより店舗端末４と接続されるネットワークインターフェースとして実現される。また、クライアント装置１が店舗端末４と一体的に構成される場合、出力部１４は、例えば、ＬＣＤ（Liquid  Crystal  Display）、ＯＬＥＤ（Organic  Light-Emitting  Diode）等として実現される表示部、及びスピーカ等として実現される。出力部１４は、例えば、識別情報取得部１１１による識別情報の取得、同意情報取得部１１２による同意情報の取得、及び属性情報取得部１１３による属性情報の取得を円滑に行うための、顧客を誘導する画面を表示する。
【００４７】
（５）制御部１５
制御部１５は、演算処理装置および制御装置として機能し、各種プログラムに従ってクライアント装置１内の動作全般を制御する。制御部１５は、例えばＣＰＵ（Central  Processing  Unit）、マイクロプロセッサによって実現される。なお、制御部１５は、使用するプログラムや演算パラメータ等を記憶するＲＯＭ（Read  Only  Memory）、および適宜変化するパラメータ等を一時記憶するＲＡＭ（Random  Access  Memory）を含んでいてもよい。図２に示すように、制御部１５は、許可部１５１、及び登録部１５２として機能する。
【００４８】
（５−１）許可部１５１
許可部１５１は、サーバ装置２によるカード会社装置３への決済の依頼を許可する機能を有する。許可部１５１は、顧客のカード情報が、サーバ装置２の記憶部２３に記憶されていることを示す肯定的フラグ情報が、記憶部１３に記憶されている場合にカード決済を許可する。この場合、許可部１５１は、通信部１２を介して決済請求リクエストをサーバ装置２に送信する。決済請求リクエストには、決済金額等の決済情報及び識別情報が含まれているものとする。他方、許可部１５１は、顧客のカード情報が、サーバ装置２の記憶部２３に記憶されていないことを示す否定的フラグ情報が、記憶部１３に記憶されている場合にカード決済を取りやめる。この場合、許可部１５１は、現金決済を行うよう店舗端末４を制御する。
【００４９】
許可部１５１は、識別情報取得部１１１により取得された識別情報を、記憶部１３から検索した結果に基づいて、決済を許可する。詳しくは、許可部１５１は、記憶部１３において識別情報に対応付けて記憶されたフラグ情報を検索する。そして、許可部１５１は、肯定的フラグ情報が検索結果として出力された場合にカード決済を許可し、否定的フラグ情報が検索結果として出力された場合にカード決済を取りやめる。
【００５０】
許可部１５１は、同意情報取得部１１２により同意情報が取得された場合に、決済の依頼を許可して決済請求リクエストをサーバ装置２に送信する。許可部１５１が、同意情報の取得をカード決済のトリガとすることで、顧客の意思確認を伴ったカード決済を実現する。これにより、顧客の意思によらず無差別にカード決済が行われることを防ぐという、カード決済に関する道義的責任が果たされる。
【００５１】
許可部１５１は、決済請求リクエストを送信する際に、属性情報取得部１１３により取得された属性情報を併せて送信してもよい。サーバ装置２は、属性情報を受信した場合、カード会社装置３へ送信する決済性リクエストにこの属性情報を格納する。この場合、カード会社装置３において属性情報の照合による認証が行われ、他人の成りすまし等の不正が防止されて安全性が向上する。
【００５２】
（５−２）登録部１５２
登録部１５２は、識別情報とフラグ情報とを対応付けて登録する登録処理を行う機能を有する。例えば、登録部１５２は、病院での初診の際の診察券発行時及び量販店でのポイントカード入会時等のタイミングで、登録処理を行う。これらのタイミングにおいて、登録部１５２は、まず、各顧客に一意な識別情報を発行する。なお、識別情報の発行は店舗端末４により行われてもよい。登録部１５２は、発行した識別情報を、通信部１２を介してサーバ装置２に送信する。そして、登録部１５２は、顧客によるサーバ装置２へのカード情報の登録が完了した場合に、識別情報に肯定的フラグ情報を対応付けて記憶部１３に記憶させる。他方、登録部１５２は、カード情報の登録が未完了である場合に、識別情報に否定的フラグ情報を対応付けて記憶部１３に記憶させる。なお、再診時のような、診察券発行後、即ち識別情報発行後に、顧客がカード情報をサーバ装置２に追加的に登録する場合もある。この場合、登録部１５２は、フラグ情報を否定的フラグ情報から肯定的フラグ情報に更新する。
【００５３】
また、登録部１５２は、店舗９００で必要な情報を識別情報に対応付けて登録してもよい。例えば、病院においては、登録部１５２は、漢字氏名、仮名、性別、生年月日、住所、電話番号、携帯電話番号を、電子カルテ及びレセプト（診療報酬明細書）に必要な情報（カルテ情報）として登録する。なお、これらの情報の登録は店舗端末４により行われてもよい。
【００５４】
登録部１５２は、登録処理が完了した場合、識別情報を顧客に提供してもよい。例えば、登録部１５２は、出力部１４を制御して顧客端末に二次元コードを出力したり、顧客端末にインストールされたアプリケーションに識別情報を出力したりする。この場合、病院での診察券及び量販店でのポイントカード等のＩＤカードの発券コストが削減される。他にも、登録部１５２は、出力部１４を制御してＩＤカードを発行したり、既存のＩＤカードに貼付可能なバーコードシール及びＮＦＣシール等を作成したりしてもよい。
【００５５】
[２−２．サーバ装置]
図３は、本実施形態に係るサーバ装置２の構成の一例を示すブロック図である。図３に示すように、サーバ装置２は、クライアント通信部２１、決済通信部２２、記憶部２３、及び制御部２４を有する。
【００５６】
（１）クライアント通信部２１
クライアント通信部２１は、有線／無線によりクライアント装置１との間でデータの送受信を行うための通信モジュールである。例えば、クライアント通信部２１は、ＬＡＮ、専用線及び電話回線等から成るネットワークを介してクライアント装置１と通信する。例えば、クライアント通信部２１は、クライアント装置１の登録部１５２により発行された識別情報を受信する。他にも、クライアント通信部２１は、顧客のカード情報を受信する。例えば、クライアント通信部２１は、カード情報を入力するためのＷｅｂ画面を顧客端末に提供して、顧客によるカード情報の入力を受け付けてもよい。また、クライアント通信部２１は、クライアント装置１から決済請求リクエストを受信して、カード会社装置３によるカード決済後に決済結果を返信する。
【００５７】
（２）決済通信部２２
決済通信部２２は、有線／無線によりカード会社装置３との間でデータの送受信を行うための通信モジュールである。例えば、決済通信部２２は、ＬＡＮ、専用線及び電話回線等から成るネットワークを介してカード会社装置３と通信する。例えば、決済通信部２２は、依頼部２４１による制御に基づき、決済請求をカード会社装置３に送信する。また、決済通信部２２は、カード会社装置３から決済結果を受信する。
【００５８】
（３）記憶部２３
記憶部２３は、所定の記録媒体に対してデータの記録再生を行う部位である。記憶部２３は、例えばＨＤＤとして実現される。もちろん記録媒体としては、フラッシュメモリ等の固体メモリ、固定メモリを内蔵したメモリカード、光ディスク、光磁気ディスク、ホログラムメモリなど各種考えられ、記憶部２３としては採用する記録媒体に応じて記録再生を実行できる構成とされればよい。
【００５９】
本実施形態に係る記憶部２３は、顧客の識別情報とカード情報とを対応付けて記憶する、第１の記憶部としての機能を有する。記憶部２３は、後述する登録部２４２による制御に基づき、クライアント装置１から受信された顧客の識別情報と顧客から入力されたカード情報とを対応付けて記憶する。また、記憶部２３は、顧客の決済履歴を記憶してもよい。なお、記憶部２３は、検索効率の向上のためのインデックスを定義してもよい。
【００６０】
（４）制御部２４
制御部２４は、演算処理装置および制御装置として機能し、各種プログラムに従ってサーバ装置２内の動作全般を制御する。制御部２４は、例えばＣＰＵ、マイクロプロセッサによって実現される。なお、制御部２４は、使用するプログラムや演算パラメータ等を記憶するＲＯＭ、及び適宜変化するパラメータ等を一時記憶するＲＡＭを含んでいてもよい。図３に示すように、制御部２４は、依頼部２４１及び登録部２４２として機能する。
【００６１】
（４−１）依頼部２４１
依頼部２４１は、顧客の識別情報に対応付けて記憶部２３に記憶されたカード情報を用いた決済を依頼する決済請求を、決済通信部２２を介してカード会社装置３に送信する機能を有する。特に、依頼部２４１は、クライアント装置１から決済請求リクエストを受信した場合、即ち許可部１５１によりカード決済が許可された場合に、決済請求を送信する。詳しくは、まず、依頼部２４１は、決済請求リクエストから識別情報および決済情報を取得する。次いで、依頼部２４１は、取得した識別情報に対応付けて記憶部２３に記憶されたカード情報を検索する。そして、依頼部２４１は、検索したカード情報、及び取得した決済情報を、決済請求に含めて送信する。決済請求を受信したカード会社装置３は、決済請求に含まれるカード情報及び決済情報を用いてカード決済を行う。クライアント装置１から属性情報を受信した場合、依頼部２４１は、同意情報をカード会社装置３における認証情報として用いるよう決済請求に含めてもよい。
【００６２】
（４−２）登録部２４２
登録部２４２は、識別情報とカード情報とを対応付けて登録する登録処理を行う機能を有する。登録部２４２は、クライアント装置１から受信された顧客の識別情報と顧客から入力されたカード情報とを対応付けて、記憶部２３に記憶する。
【００６３】
顧客の識別情報は、事業者を識別するＩＤ（事業者識別情報）及び事業者が顧客を識別するＩＤ（顧客識別情報）から成るものとする。つまり、同じ顧客であっても、異なる事業者からは異なる識別情報が付与される。なお、事業者を識別するＩＤには、事業者が運営する店舗を識別するためのＩＤが含まれていてもよい。顧客の識別情報が事業者識別情報と顧客識別情報とを含むことにより、同一の顧客であっても異なる事業者に関しては異なる識別情報が割り振られる。このため、顧客は、カード情報を登録した事業者の店舗においてのみ、本実施形態にかかるカード決済を行うことが可能となる。また、ある事業者との関係でカード情報を登録した場合であっても、カード情報を登録していない異なる事業者の店舗においては、カード情報を用いたカード決済は許可されない。このようにして安全性が確保される。なお、記憶部２３は、クライアント装置１及び顧客を認証するための各種パスワードを記憶してもよい。
【００６４】
上述したクライアント装置１の登録部１５２が発行する識別情報は、事業者識別情報及び顧客識別情報から成る識別情報であってもよいし、顧客識別情報であってもよい。登録部１５２が発行する識別情報が顧客識別情報である場合、サーバ装置２の登録部２４２は、クライアント装置１から受信した顧客識別情報に、クライアント装置１を管理・運用する事業者に応じた事業者識別情報を結合して識別情報を発行してもよい。
【００６５】
ここで、事業者識別情報は、事業者の種別ごとの特徴を有する。依頼部２４１は、事業者の種別ごとの特徴に応じて、記憶部２３から識別情報に対応付けられたカード情報を検索する。クライアント装置１を管理・運用する事業者は既知なので、依頼部２４１は、決済請求リクエストを受信した際に効率的にカード情報を検索することはできる。上述したクライアント装置１の許可部１５１におけるフラグ情報の検索においても同様である。なお、事業者の種別ごとの特徴とは、例えば、小売店、量販店、病院等の業種ごとに事業者識別情報の採番パターンが変更されることが考えられる。
【００６６】
登録部２４２は、登録処理が完了した場合、上述したクライアント装置１の登録部１５２に代わって識別情報を顧客に提供してもよい。例えば、登録部２４２は、カード情報の送信元である顧客端末に直接的に識別情報が格納された二次元コードを送信したり、顧客端末にインストールされたアプリケーションに識別情報を送信したりしてもよい。
【００６７】
以上、クライアント装置１及びサーバ装置２の構成を説明した。続いて、図４〜図５を参照して、本実施形態に係る決済システムの動作処理を説明する。
【００６８】
＜３．動作処理＞
[３−１．登録処理]
まず、図４を参照して、決済システムによる登録処理について説明する。図４は、本実施形態に係る決済システムにおいて実行される登録処理の流れの一例を示すシーケンス図である。図４に示したシーケンスには、クライアント装置１、サーバ装置２、及び患者が有する顧客端末（患者端末）６が関与する。ここでは一例として、病院初診時における登録処理について説明する。
【００６９】
図４に示すように、まず、ステップＳ１０２で、患者端末６は、情報入力を受け付ける。例えば、患者端末６は、カルテ情報及びカード情報の入力を受け付ける。ここで入力されるカルテ情報は、例えば漢字の氏名、カナの氏名、性別、生年月日、電話番号、住所、及び携帯電話番号などである。また、ここで入力されるカード情報は、例えばカード番号、及び有効期限などである。患者端末６は、例えば病院受付において提示されたアクセス用二次元コードからアドレスを読み取り、情報入力のためのＷｅｂ画面にアクセスして情報入力を行ってもよいし、専用のアプリケーションを介して情報入力を行ってもよい。このアプリケーションは、病院に関する各種サービスを提供可能なアプリケーションであってもよい。患者は、アプリケーションを使用することにより、住所などの基本情報及び病状などの情報を紙の問診票に記入する手間を削減することができる。また、病院の職員は、アプリケーションに入力された情報をそのまま使用することができるため、紙の問診票を目視で確認して情報を病院端末４に打ち込む手間を削減することができる。
【００７０】
次いで、患者端末６は、ステップＳ１０４でクライアント装置１にカルテ情報を送信し、ステップＳ１０６でサーバ装置２にカード情報を送信する。例えば、情報入力のためのＷｅｂ画面に入力されたカルテ情報及びカード情報について、当該Ｗｅｂページを提供したサーバ装置２が、カード情報をそのまま取得し、カルテ情報をクライアント装置１に送信してもよい。他にも、例えば専用のアプリケーションに入力されたカルテ情報及びカード情報について、専用のアプリケーションが、カルテ情報をクライアント装置１に送信し、カード情報をサーバ装置２に送信してもよい。また、クライアント装置１は、ＡＳＰを介してカード情報をサーバ装置２に送信してもよい。
【００７１】
次に、ステップＳ１０８で、クライアント装置１は、識別情報を発行する。詳しくは、クライアント装置１の登録部１５２は、各患者に一意な数字及びアルファベット等から成る識別情報を生成する。
【００７２】
次いで、ステップＳ１１０で、クライアント装置１は、ステップＳ１０８において発行した識別情報を、サーバ装置２に送信する。
【００７３】
次に、ステップＳ１１２で、サーバ装置２は、カード情報を登録する。詳しくは、サーバ装置２の登録部２４２は、上記ステップＳ１０６において受信したカード情報と上記ステップＳ１１０において受信した識別情報とを対応付けて、記憶部２３に記憶する。サーバ装置２は、カード情報を登録した旨を示すメッセージをクライアント装置１に送信してもよい。
【００７４】
次いで、ステップＳ１１４で、クライアント装置１は、カルテ情報を登録する。詳しくは、クライアント装置１の登録部１５２は、上記ステップＳ１０４において受信したカルテ情報と上記ステップＳ１０８において発行した識別情報とを対応付けて、記憶部１３に記憶する。
【００７５】
そして、ステップＳ１１６で、クライアント装置１は、フラグ情報を登録する。詳しくは、クライアント装置１の登録部１５２は、上記ステップＳ１１２においてサーバ装置２がカード情報を登録した場合、肯定的フラグ情報を登録する。一方で、例えば上記ステップＳ１０２においてカード情報が入力されず、上記ステップＳ１１２においてサーバ装置２がカード情報を登録していない場合、クライアント装置１の登録部１５２は否定的フラグ情報を登録する。登録部１５２は、上記ステップＳ１１２において、サーバ装置２からカード情報を登録した旨を示すメッセージを受信したか否かに基づいて、いずれかのフラグ情報を登録してもよい。なお、上述したように、フラグ情報は、クライアント装置１の記憶部１３に記憶されていてもよいし、ＡＳＰに記憶されていてもよいし、電子カルテに含めて記憶されてもよい。
【００７６】
次に、ステップＳ１１８で、サーバ装置２は、識別情報を患者端末６に送信する。例えば、登録部２４２は、ステップＳ１０６におけるカード情報の送信元である患者端末６に直接的に識別情報が格納された二次元コードを送信したり、患者端末６にインストールされた専用のアプリケーションに識別情報を送信したりしてもよい。
【００７７】
次に、ステップＳ１２０で、患者端末６は、サーバ装置２から受信した識別情報を記憶する。これにより、患者は、再診時に診察券の代わりに患者端末６をバーコードリーダ等にかざすことにより、受付をすることが可能となる。
【００７８】
（補足）
決済システムは、クライアント装置１にカルテ情報が登録済みの患者について、追加的にカード情報及びフラグ情報を登録してもよい。例えば、決済システムは、再診時に診察券から読み取った識別情報に対応付けて、新たに入力されたカード情報を登録して、肯定的フラグ情報を登録してもよい。
【００７９】
また、決済システムは、上記ステップＳ１０２において、患者端末６のアプリケーションによる情報入力以外の方法で情報入力を受け付けてもよい。例えば、患者が紙の問診票に手書きでカルテ情報を記載し、病院の職員が、目視で問診票を確認して病院端末４にカルテ情報を入力してもよい。また、患者が決済用カードを提示し、病院の職員が、目視で診察券の表面に印字された識別情報を読み取り、病院端末４にカード情報を入力してもよい。もちろん、カード情報は、病院端末４に接続されたカードリーダにより決済用カードから読み取られてもよい。
【００８０】
また、決済システムは、ステップＳ１１８、Ｓ１２０において、多様な方法で識別情報を患者に提供することができる。例えば、決済システムは、患者端末６に二次元コードを記憶させてもよいし、近接無線通信可能なアプリケーションに識別情報を記憶させてもよい。他にも、決済システムは、識別情報が格納された診察券を発行したり、既存の診察券に貼付可能なバーコードシール又はＮＦＣシール等を作成したりしてもよい。
【００８１】
以上、本実施形態に係る決済システムによる登録処理について説明した。続いて、図５を参照して、本実施形態に係る決済システムによる決済処理について説明する。
【００８２】
[３−２．受付処理及び決済処理]
図５は、本実施形態に係る決済システムにおいて実行される受付処理及び決済処理の流れの一例を示すシーケンス図である。図５に示したシーケンスには、クライアント装置１、サーバ装置２、カード会社装置３、及び患者端末６が関与する。ここでは一例として、病院再診時における受付処理及び決済処理について説明する。
【００８３】
図５に示すように、まず、ステップＳ２０２で、患者端末６は、アプリケーションを起動する。このアプリケーションは、図４を参照して説明した登録処理に用いたアプリケーションと同一のアプリケーションであってもよい。
【００８４】
次いで、ステップＳ２０４で、クライアント装置１は、患者端末６から識別情報を読み取る。例えば、患者は、患者端末６のアプリケーションにより、識別情報が格納された二次元コードを表示部に表示させて二次元コードリーダにかざす。病院端末４に接続された二次元コードリーダがかざされた二次元コード読み取ることにより、クライアント装置１の識別情報取得部１１１は識別情報を読み取る。患者は、二次元コードを表示させた患者端末６をかざせばよいので、診察券を持ち歩いたり提出したりする手間が削減される。また、識別情報の読み取りが自動的に行われるので、病院の職員は、診察券を目視で確認したり、順番を管理したり、診察券の保管及び診療後の返却を行ったりする必要がなく、事務処理が効率化すると共に患者の待ち時間が短縮化される。さらに、予約システム、順番待ちの順番が到来したことを示す通知を行うシステム、メール配信システムと連携することにより、決済システムの利便性はさらに向上し得る。
【００８５】
次に、ステップＳ２０６で、クライアント装置１は、受付処理を行う。例えば、クライアント装置１は、ステップＳ２０４において読み取った識別情報に対応付けられた電子カルテを検索して、医者が操作する端末に送信する。なお、上記ステップＳ２０４及びＳ２０６の処理は、病院端末４により行われてもよい。
【００８６】
医師による診療が終了した場合、ステップＳ２０８で、クライアント装置１は、カード情報が登録済みか否かを確認する。具体的には、クライアント装置１の許可部１５１は、上記ステップＳ２０４において読み取った識別情報を、記憶部１３から検索してフラグ情報を参照する。許可部１５１は、識別情報に対応付けられたフラグ情報が肯定的フラグ情報であれば、カード情報が登録済みであると確認する。なお、許可部１５１は、識別情報に対応付けられたフラグ情報が否定的フラグ情報であれば、カード情報が未登録であると確認する。このように、上記ステップＳ２０４において読み取られた識別情報が流用されてフラグ情報が確認されるため、患者が患者端末６のアプリケーションを再度起動したり、二次元コードリーダにかざしたりする手間が削減される。これにより、他の患者の待ち時間も削減される。もちろん、アプリケーションの再度の起動、及び識別情報の再度の読み取りを行って本人確認を行うことで、安全性を担保してもよい。なお、上述したように、フラグ情報は、ＡＳＰに記憶されていてもよいし、電子カルテに含めて記憶されていてもよい。この場合、許可部１５１は、ＡＳＰまたは電子カルテからフラグ情報を取得することで、カード情報が登録済みであるか否かを確認する。
【００８７】
カード情報が登録済みであることが確認された場合、ステップＳ２１０で、クライアント装置１は、カード決済への同意を患者に確認する。例えば、クライアント装置１の出力部１４は、病院端末４を介してカード決済に同意するか否かを選択させる選択画面を表示して、患者に選択を促す。このとき、クライアント装置１の出力部１４は、病院端末４を介して会計金額を表示する画面を表示してもよい。そして、同意情報取得部１１２は、患者がカード決済に同意する選択を行った場合、同意情報を取得する。なお、患者がカード決済に同意しない選択を行った場合、同意情報取得部１１２は同意情報の取得に失敗するので、現金による決済が行われる。
【００８８】
患者がカード決済に同意した場合、ステップＳ２１２で、クライアント装置１は、カード決済に関する属性情報を取得する。例えば、病院の職員が患者の名前や生年月日等の属性情報を口頭で確認して病院端末４に入力することにより、クライアント装置１の属性情報取得部１１３は属性情報を取得する。
【００８９】
次いで、ステップＳ２１４で、クライアント装置１は、決済請求リクエストを送信する。詳しくは、クライアント装置１の許可部１５１は、決済金額等の決済情報、識別情報、及び属性情報を格納した決済請求リクエストを、通信部１２を介してサーバ装置２に送信する。
【００９０】
次に、ステップＳ２１６で、サーバ装置２は、決済請求をカード会社装置３に送信する。詳しくは、まず、サーバ装置２の依頼部２４１は、クライアント装置１から受信した決済請求リクエストに含まれる識別情報に対応付けて記憶部２３に記憶されたカード情報を取得する。そして、依頼部２４１は、取得したカード情報、決済請求リクエストに含まれる決済情報及び属性情報を格納した決済請求を、決済通信部２２を介してカード会社装置３に送信する。
【００９１】
次いで、ステップＳ２１８で、カード会社装置３は、受信した決済請求に応じてカード決済を行う。詳しくは、カード会社装置３は、決済請求に含まれるカード情報及び決済情報を用いてカード決済を行う。カード会社装置３は、決済請求に含まれる属性情報と予め登録されたカード会員の属性情報とを照合することで、本人確認を行ってもよい。
【００９２】
次に、ステップＳ２２０で、カード会社装置３はサーバ装置２を介してクライアント装置１にカード決済の結果を返却する。
【００９３】
次いで、ステップＳ２２２で、クライアント装置１は、患者への領収書の発行等の各種後処理を行う。病院の職員は、現金を収受したり、現金会計を行ったりする必要がないので、会計処理の負担が軽減される。
【００９４】
（補足）
上記ステップＳ２０４において、クライアント装置１は、診察券から識別情報を読み取ってもよい。例えば、クライアント装置１は、診察券の表面に設けられたバーコードに格納された識別情報を、病院端末４に接続されたバーコードリーダ等により読み取ってもよい。また、病院の職員が、目視で診察券の表面に印字された識別情報を読み取り、病院端末４に識別情報を入力してもよい
【００９５】
以上、本実施形態に係る決済システムによる決済処理について説明した。
【００９６】
＜４．まとめ＞
ここまで、図１〜図５を用いて、本開示に係る技術の実施形態を詳細に説明した。上述した実施形態によれば、フラグ情報がクライアント装置１により管理され、カード情報がサーバ装置２により管理される。そして、クライアント装置１は、肯定的フラグ情報を記憶していた場合に、サーバ装置２に記憶されたカード情報によるカード決済を許可する。これにより、クライアント装置１は、決済請求をカード会社装置３に送信して、カード決済がカード会社装置３により実行される。サーバ装置２がカード情報を予め記憶しているため、顧客は決済用カードを持ち歩かずともよいし、決済時に提示せずともよく、利便性が向上する。決済システムは、ＩＤカードから読み取った識別情報を用いて受付から決済までを一元的に管理することにより事務処理時間及び会計処理時間を短縮することができ、個々の顧客はもちろん、顧客全体の待ち時間が削減され、利便性はさらに向上する。また、決済システムは、カード情報及びフラグ情報を別個に記憶して、カード情報を登録済みの顧客であっても、フラグ情報が記憶された店舗でのカード決済のみを可能にすることで、安全性を担保する。また、顧客のカード情報がサーバ装置２により一元的に管理されるため、様々な事業者、及び店舗に散在することが防止されて、カード会社装置３にとっても安全性が向上する。このように、本実施形態に係る決済システムは、利便性を向上させつつ、セキュリティを担保することが可能である。
【００９７】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９８】
例えば、クライアント装置１の機能の一部が、ＡＳＰにより提供されてもよい。具体的には、図２を参照して上記説明したクライアント装置１の各機能は、クライアント装置１またはＡＳＰのいずれが有していてもよい。ＡＳＰは、図２を参照して説明した機能の任意の一部または全部を提供し得る。かかる構成により、ＡＳＰがクライアント装置１の機能の一部を担うことが可能となり、クライアント装置１の負荷が軽減される。
【００９９】
なお、本明細書において説明した各装置による一連の制御処理は、ソフトウェア、ハードウェア、及びソフトウェアとハードウェアとの組合せのいずれを用いて実現されてもよい。ソフトウェアを構成するプログラムは、例えば、各装置の内部又は外部に設けられる記憶媒体（非一時的な媒体：non-transitory  media）に予め格納される。そして、各プログラムは、例えば、実行時にＲＡＭに読み込まれ、ＣＰＵなどのプロセッサにより実行される。
【０１００】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【符号の説明】
【０１０１】
１    クライアント装置
１１    入力部
１１１    識別情報取得部
１１２    同意情報取得部
１１３    属性情報取得部
１２    通信部
１３    記憶部
１４    出力部
１５    制御部
１５１    許可部
１５２    登録部
２    サーバ装置
２１    クライアント通信部
２２    決済通信部
２３    記憶部
２４    制御部
２４１    依頼部
２４２    登録部
３    カード会社装置
４    病院端末
５    診察券
６    患者端末
９００    病院
【図１】
2015125680.tif 000003
【図２】
2015125680.tif 000004
【図３】
2015125680.tif 000005
【図４】
2015125680.tif 000006
【図５】
2015125680.tif 000007